(57)【要約】【課題】リールシート本体と固定フード部とを別体形成する場合に、釣竿への固定フード部用部材の固定を強固にすると共に、固定フード部の強度が強い釣竿を提供する。【解決手段】  繊維強化樹脂製竿杆１０を挿通させると共に、リール脚を載置させる載置部ＲＳを有するリールシート本体Ｈと、前記載置部の前後に各フードＦ１Ｋ，Ｆ２Ｋが対向するように配置された移動フード部材Ｆ２と固定フード部材Ｆ１とを有するリール固定装置を設けた釣竿であって、前記固定フード部材は前記リールシート本体とは別部品で形成されていると共に前記竿杆の外側に配設されて該竿杆又は前記リールシート本体Ｈとは接着固定されている環状部材であり、リール脚の足先部が挿入される固定フードＦ１Ｋは、該足先部裏面の載置される底壁部と、足先部甲側の天井壁部とが一体に形成されているよう構成する。【選択図】        図３
2006262804.tif 000002
【特許請求の範囲】
【請求項１】
繊維強化樹脂製竿杆を挿通させると共に、リール脚を載置させる載置部を有するリールシート本体と、前記載置部の前後に各フードが対向するように配置された移動フード部材と固定フード部材とを有するリール固定装置を設けた釣竿であって、
前記固定フード部材は前記リールシート本体とは別部品で形成されていると共に前記竿杆の外側に配設されて該竿杆又は前記リールシート本体とは接着固定されている環状部材であり、リール脚の足先部が挿入される固定フードは、該足先部裏面の載置される底壁部と、足先部甲側の天井壁部とが一体に形成されている
ことを特徴とする釣竿。
【請求項２】
前記固定フード部材には、フード開口とは長手方向反対側に延伸させた延伸部を設け、該延伸部の内面を前記竿杆表面と接着固定している請求項１記載の釣竿。
【請求項３】
前記固定フード部材は、前記固定フードの底壁部と天井壁部とを有する固定フード周壁部を含めて合成樹脂材で形成された固定フード本体部を具備し、該本体部の前記天井壁部の外側に金属製の環状部材を設けた請求項１又は２記載の釣竿。
【請求項４】
前記固定フード部材の前記底壁部は、前記リールシート本体とは突き当て状に固定されており、前記底壁部の裏面に対面するリールシート本体の領域は、前記載置部表面よりも竿杆中心方向に低くなっている請求項１〜３の何れか１記載の釣竿。
【発明の詳細な説明】
【技術分野】
【０００１】
本発明はトラウトルアーロッドをはじめとするルアーロッド等の釣竿に関する。
【背景技術】
【０００２】
リールシート本体をコルクや強化木によって製作するため、固定フードをこうしたリールシート本体とは一体に形成できないリール固定装置の場合、固定フードを別部品として製作し、これを釣竿に接着等によって固定する必要が有る。下記特許文献１では、固定フード部材の接着用延接部を設けて接着面積を確保し、これにより強く固定する手法が採られている。
【特許文献１】実開昭５９−１５０２６７号公報
【発明の開示】
【発明が解決しようとする課題】
【０００３】
然しながら、固定フードの外周壁はリールシート本体とは一体形成されていないため、リール脚を強く固定した場合に、このフード外天井壁部がこじ開けられるように変形し、固定フード部位が圧壊し易い。
依って解決しようとする課題は、リールシート本体と固定フード部とを別体形成する場合に、釣竿への固定フード部用部材の固定を強固にすると共に、固定フード部の強度が強い釣竿を提供することである。
【課題を解決するための手段】
【０００４】
本発明は請求項１では、繊維強化樹脂製竿杆を挿通させると共に、リール脚を載置させる載置部を有するリールシート本体と、前記載置部の前後に各フードが対向するように配置された移動フード部材と固定フード部材とを有するリール固定装置を設けた釣竿であって、前記固定フード部材は前記リールシート本体とは別部品で形成されていると共に前記竿杆の外側に配設されて該竿杆又は前記リールシート本体とは接着固定されている環状部材であり、リール脚の足先部が挿入される固定フードは、該足先部裏面の載置される底壁部と、足先部甲側の天井壁部とが一体に形成されていることを特徴とする釣竿を提供する。
【０００５】
請求項２では、前記固定フード部材には、フード開口とは長手方向反対側に延伸させた延伸部を設け、該延伸部の内面を前記竿杆表面と接着固定している請求項１記載の釣竿を提供する。
請求項３では、前記固定フード部材は、前記固定フードの底壁部と天井壁部とを有する固定フード周壁部を含めて合成樹脂材で形成された固定フード本体部を具備し、該本体部の前記天井壁部の外側に金属製の環状部材を設けた請求項１又は２記載の釣竿を提供する。
【０００６】
請求項４では、前記固定フード部材の前記底壁部は、前記リールシート本体とは突き当て状に固定されており、前記底壁部の裏面に対面するリールシート本体の領域は、前記載置部表面よりも竿杆中心方向に低くなっている請求項１〜３の何れか１記載の釣竿を提供する。
【発明の効果】
【０００７】
本発明の請求項１では、固定フード部材がリールシート本体とは別部品として構成されているため、リール脚の装着固定時に、リール脚の足先部が挿入される固定フードの形態によってはフードの天井側壁部がこじ開けられるように変形し易い。しかし、この天井壁部と、これに対面する側の底壁部とを一体形成しているため、足先部の甲側によって天井壁部が押し上げられようとしても、その動きは底壁部にも伝わり、この底壁部が外側方向に動こうとしても、足先部が天井壁部から受けた反力によって底壁部側に押されているため、上方に動けない。即ち、足先部による種々の力は、固定フードに対する内力となって互いに打ち消し合い、固定フード部は全体として動かず、上記の従来技術のようにはこじ開けられない。
【０００８】
請求項２では、固定フード部材はリールシート本体とは別部品として構成されているため、一般にその分接着固定力は小さい。しかし、延伸部を設けているため、その接着面積を大きくでき、釣竿における固定フード部の安定が達成できる。
請求項３では、固定フード周壁部を含め、固定フード本体部が合成樹脂材で形成されており、合成樹脂故、射出成形が可能となり、成形が容易になる。しかし、合成樹脂故、固定フード周壁部の剛性、強度は必ずしも十分でない場合があり、この場合、金属製の環状部材を設けているので、剛性、強度が補強される。
【０００９】
請求項４では、リールシート本体と固定フード部材とは別体であるため、竿杆への組み付け時には、前者のリール脚の載置部と、後者の固定フード開口とを合致させる必要がある。固定フードの底壁部に対面重合させるリールシート本体側が、リール脚載置部の面に対して低く形成されていると、組み付け時に位置決めができ、竿杆への組み付けが容易になる。
【発明を実施するための最良の形態】
【００１０】
以下、本発明を図面を用いて詳細に説明する。図１は本発明に係る釣竿の一種のトラウトルアーロッドの側面図である。エポキシ樹脂等の合成樹脂を炭素繊維等の強化繊維で強化した竿杆１０の後方部には、リール、ここではスピニングリールＲを装着固定するリール装着部２０を設けている。図２はリール装着部付近の拡大図、図３は同付近の縦断面図、図４は図３の要部の拡大図、図５は図４の矢視線Ｅ−Ｅによる横断面図、図６は図４の矢視線Ｆ−Ｆによる横断面図である。
【００１１】
リールＲのリール脚ＬＧを載置する平面状の載置部ＲＳを有するリールシート本体Ｈの、前記載置部側に開口を有するように、該載置部の前後に位置して、後方側に固定フードＦ１Ｋが、前方側に移動フードＦ２Ｋが、夫々配設されて対向している。固定フードを有する部品が環状の固定フード部材Ｆ１であり、移動フードを有する部品が環状の移動フード部材Ｆ２である。これらリールシート本体Ｈ、固定フード部材Ｆ１、移動フード部材Ｆ２の夫々には竿杆１０が挿通しており、竿杆とリールシート本体と固定フード部材は互いに接着固定されている。
【００１２】
また、リールシート本体Ｈの前側の竿杆には、合成樹脂製の管状部材が接着固定されており、その外周部に雄ねじＮが形成されている。この雄ねじと螺合する雌ねじを有するナット部材ＮＴがこれに螺着されており、該ナット部材の回動によって移動フード部材Ｆ２が前後移動する。一方、固定フード部材Ｆ１の後側には、グリップ部ＧＰが設けられている。竿杆１０はこのグリップ部の後端部にまで挿通し、互いに接着固定されている。
【００１３】
グリップ部とリールシート本体とは、内側から外側までの厚さに亘って、コルク等の適宜な把持感の良い材料で形成している。また、ナット部材は、前記の雌ねじ部の外側部は、同様にコルク等の部材で形成している。コルクの他、強化木等でも把持感は良い。リールシート本体Ｈをこうした把持感がよく、強度的には弱い部材で形成しているため、固定フードは、こうした弱い部材で形成されたリールシート本体と一体形成することはできず、別の適宜な構造用強度を有する合成樹脂材、例えば、ナイロンによって形成している。グリップ部ＧＰとナット部材のコルク部はＥＶＡ（エチレン酢酸ビニル共重合体）等の発泡性樹脂としてもよい。
【００１４】
環状の固定フード部材Ｆ１は、ナイロンやＡＢＳ樹脂等の合成樹脂製の固定フード本体Ｆ１’と、その外周に配設され、アルミニウム、ステンレス、真鍮、チタン等の金属製環状部材Ｆ１”とを有している。この環状部材Ｆ１”を補強目的ではなく装飾としての場合は、適宜な合成樹脂で形成してもよい。リールシート本体Ｈとの突き合わせ構造は、リールシート本体の端部ＨＴを小径の段差状円筒とし、更には、その円周方向の、リール脚載置部ＲＳ側部位を、平面状のリール脚載置部ＲＳよりも竿中心側に所定量低い平面ＨＳに形成している。この形態は図６に現われている。
【００１５】
一方、固定フード本体Ｆ１’における、リール脚足先部の挿入される固定フードＦ１Ｋの周壁部ＳＨは、リール脚ＬＧの足部ＦＴの先部裏面が載置される底壁部ＢＴと、足先部甲側の天井壁部ＵＰとが一体に形成されて構成されている。また、底壁部の裏面は、上記リールシート本体の端部ＨＴの平面ＨＳに載置されて、該端部ＨＴと嵌合状態に互いに接着固定されている。この平面ＨＳと底壁面裏面とを合わせることによって、組み付け時に、リールシート本体Ｈと固定フード部材Ｆ１とを簡単に位置合わせできる。
【００１６】
上記リールシート本体のリール脚載置部ＲＳと底壁部の上面ＲＳ’とは一平面状に高さが揃っている。更には、固定フード本体Ｆ１’のグリップ部ＧＰ側には、竿杆１０の外周面に沿って延伸した管状の延伸部Ｆ１Ａが設けられている。この延伸部を含む固定フード本体Ｆ１’の内周は竿杆１０の外周に対して接着固定されている。従って、延伸部の分だけ接着面積が大きくでき、接着固定力が向上する。グリップ部はこの延伸部の外側に接着されている。この延伸部は管状ではなく、円筒の一部分でもよく、また、それら部分が円周方向に複数個存在してもよい。また、延伸部の長さは固定フード天井壁部の長さよりも長くするとよい。
【００１７】
上記の如く、固定フードはその底壁部と天井壁部とが一体に形成されているため、リール脚の足先部を挿入固定した際に該足先部から受ける反力は固定フードに対する内力となり、天井壁部だけが径方向外側に押し広げられて変形することを防止できる。また、天井壁部の内側面の傾斜は、挿入される足先部の甲の傾斜よりも大きくなっており、足先部が挿入されると、天井壁部の奥部によって抑えられ、先部で抑えられる場合よりも天井壁部がこじ開けられ難い。更には、固定フード部本体Ｆ１’は、図５や図６に示すように、竿の軸方向に沿った貫通孔を幾つか設けており、軽量化を図っている。また、リール脚の足先部の載置される底壁部ＢＴは図５や図６に示されるように、足先部の左右幅方向の中央部は、その両端部よりも薄く形成されている。これは、中央部は竿杆１０と重合する部位であるため、その分薄くてよいからである。
以上説明した固定フード部材の構成は、トラウトルアーロッド以外の適宜な釣竿にも適用できる。特に、リールシート本体の把持感を重要視する釣竿において、こうしたリールシート本体と一体形成できない釣竿に好適である。
【産業上の利用可能性】
【００１８】
本発明は、トラウトルアーロッドをはじめとするルアーロッド等の釣竿に利用できる。
【図面の簡単な説明】
【００１９】
【図１】図１は本発明に係る釣竿の一種のトラウトルアーロッドの側面図である。
【図２】図２はリール装着部付近の拡大図である。
【図３】図３は同付近の縦断面図である。
【図４】図４は図３の要部の拡大図である。
【図５】図５は図４の矢視線Ｅ−Ｅによる横断面図である。
【図６】図６は図４の矢視線Ｆ−Ｆによる横断面図である。
【符号の説明】
【００２０】
１０                    竿杆
ＢＴ                    底壁部
Ｆ１                    固定フード部材
Ｆ１Ａ                  延伸部
Ｆ１Ｋ                  固定フード
Ｆ２                    移動フード部材
Ｈ                      リールシート本体
ＬＧ                    リール脚
ＲＳ                    リール脚載置部
ＳＨ                    固定フード周壁部
ＵＰ                    天井壁部
【図１】
2006262804.tif 000003
【図２】
2006262804.tif 000004
【図３】
2006262804.tif 000005
【図４】
2006262804.tif 000006
【図５】
2006262804.tif 000007
【図６】
2006262804.tif 000008